(57)【要約】【課題】専用の測定器を用意しなくても、受信状態信号を観測することができる受信装置を提供する。【解決手段】受信状態を表す受信状態信号として、受信部１は受信レベル信号を、復調部２はコンスタレーション信号および遅延プロファイル信号を、制御部４は文字信号をそれぞれ出力する。形式変換部５は、受信部１、復調部２、および制御部４からそれぞれ出力された受信状態信号を汎用の映像モニタにて表示可能なＮＴＳＣ形式の信号に変換してインターフェース部６に出力する。インターフェース部６は、デジタル形式の映像信号に形式変換部５から出力されたＮＴＳＣ形式の受信状態信号を多重し、その多重信号に含まれる映像信号をデジタル形式からアナログ形式にＤ／Ａ変換した上でその多重信号を汎用の映像モニタに出力する。【選択図】図１
2007110393.tif 000002
【特許請求の範囲】
【請求項１】
受信した映像信号の受信状態を表し、互いに種類が異なる複数の受信状態信号を生成する受信状態信号生成手段と、
前記複数の受信状態信号のそれぞれを映像モニタにて表示可能な形式に変換する形式変換手段と、
前記形式変換手段にて変換された受信状態信号を前記映像信号に多重して前記映像モニタに出力するインターフェース手段とを有する受信装置。
【請求項２】
前記形式変換手段は、
前記複数の受信状態信号をそれぞれ記憶する複数のメモリと、
前記複数のメモリに対応して設けられ、対応するメモリへの受信状態信号の書き込みおよび対応するメモリからの受信状態信号の読み出しを行う複数のメモリ制御手段と、
前記複数のメモリから読み出された複数の受信状態信号のそれぞれを前記映像モニタにて表示可能な形式に変換する変換手段とを有し、
前記インターフェース手段は、
前記変換手段にて変換された受信状態信号を前記映像信号に多重して出力する多重手段を有する、請求項１に記載の受信装置。
【請求項３】
前記形式変換手段は、
前記複数の受信状態信号ごとに、該受信状態信号を前記映像モニタに表示する際のデータが設定された表示データ設定手段をさらに有し、
前記複数のメモリ制御部のそれぞれは、前記表示データ設定手段に設定されたデータに基づき、前記受信状態信号を対応するメモリへ書き込む、請求項２に記載の受信装置。
【請求項４】
前記インターフェース手段は、
前記映像モニタの画面において所定の順序で前記映像信号を表示する際に、現時点の画面上の映像信号の表示位置を表す位置情報を検出する同期検出手段をさらに有し、
前記形式変換手段は、
前記同期検出手段にて検出された位置情報に基づいて、前記複数の受信状態信号ごとに、該受信状態信号を前記メモリから読み出すタイミングを表すタイミング信号を発生する読み出しタイミング発生手段をさらに有し、
前記複数のメモリ制御部のそれぞれは、前記読み出しタイミング発生手段にてタイミング信号が発生したタイミングで、対応するメモリに記憶されている受信状態信号を画面に表示する順序で読み出し、
前記変換手段は、前記読み出しタイミング発生手段にてタイミング信号が発生したタイミングで、前記複数のメモリのいずれかから読み出された受信状態信号を前記映像モニタにて表示可能な形式に変換し、
前記多重手段は、前記読み出しタイミング発生手段にてタイミング信号が発生したタイミングで、前記変換手段にて変換された受信状態信号を前記映像信号に多重して出力する、請求項２または３に記載の受信装置。
【請求項５】
前記読み出しタイミング発生手段は、前記複数の受信状態信号のうち選択された受信状態信号を読み出すタイミングになった場合にのみ、前記タイミング信号を発生する、請求項４に記載の受信装置。
【請求項６】
前記多重手段は、前記映像信号の前面に前記受信状態信号が配置されるように、前記受信状態信号を前記映像信号に多重する、請求項２から５のいずれか１項に記載の受信装置。
【請求項７】
前記多重手段は、前記受信状態信号を半透明化して前記映像信号に多重する、請求項６に記載の受信装置。
【請求項８】
前記受信状態信号生成手段は、
選択中のチャンネルとこれに隣接する隣接チャンネルの受信レベルをグラフ化して前記映像モニタに表示するために、選択中のチャンネルと隣接チャンネルの受信レベルをそれぞれ測定し、それぞれの測定値を表す受信レベル信号を前記受信状態信号として生成する手段を含む、請求項１から７のいずれか１項に記載の受信装置。
【請求項９】
前記受信状態信号生成手段は、
ＸＹ座標上にマッピングされる複数個のコンスタレーションを前記映像モニタに表示するために、ＩデータおよびＱデータからなるコンスタレーション信号を前記受信状態信号として生成するとともに、マルチパス環境での時間方向の相関電力分布である遅延プロファイルを前記映像モニタに表示するために、受信した映像信号から得られた各ベースバンド信号について既知符号系列との相関電力値を測定し、各ベースバンド信号の到来時間と相関電力値の測定値とを表す遅延プロファイル信号を前記受信状態信号として生成する手段を含む、請求項１から８のいずれか１項に記載の受信装置。
【請求項１０】
前記受信状態信号生成手段は、
前記映像信号の受信状態を前記映像モニタに文字で表示するために、前記映像信号の受信状態に関する所定の測定項目の測定値を含む文字信号を前記受信状態信号として生成する手段を含む、請求項１から９のいずれか１項に記載の受信装置。
【発明の詳細な説明】
【技術分野】
【０００１】
本発明は、無線信号としてデジタル形式の映像信号を受信する受信装置に関する。
【背景技術】
【０００２】
最近、この種の受信装置の中には、内部の信号処理の一部として、映像信号の受信状態を表す受信状態信号を生成するものがある。受信状態信号の一例としては、コンスタレーション信号が挙げられる。コンスタレーション信号は、ＸＹ座標上にマッピングされる複数のコンスタレーション（点）を表す信号であり、コンスタレーションの配置に応じて受信状態が良好であるか否かを視覚的に判断することができる。
【０００３】
ここで、従来の受信装置の回路構成の一例について、図１１を参照して説明する。
【０００４】
図１１を参照すると、本従来例の受信装置は、受信部１１１、復調部１１２、デコーダ１１３、インターフェース部１１４、およびＤ／Ａ変換部１１５から構成されている。
【０００５】
受信部１１１は、ＲＦ信号（Radio Frequency）を受信し、受信したＲＦ信号をＩＦ（Inter frequency）信号に変換して復調部１１２に出力する。
【０００６】
復調部１１２は、受信部１１１から出力されたＩＦ信号をベースバンド信号に変換し、変換したベースバンド信号に対して復調処理および復号処理を行うことでトランスポートストリーム信号（以下、「ＴＳ（Transport Stream）信号」と呼ぶ）を生成してデコーダ１１３に出力する。また、復調部１１２は、復調処理後に、受信状態信号としてコンスタレーション信号を生成してＤ／Ａ変換部１１５に出力する。
【０００７】
デコーダ１１３は、復調部１１２から出力されたＴＳ信号をデジタル形式の映像信号および音声信号に変換してインターフェース部１１４に出力する。なお、本発明は、映像信号の処理に特徴があり、音声信号の処理は任意の公知技術を用いて行うことができるため、以下では、図１１の受信装置で行われる音声信号の処理についての説明は省略する。
【０００８】
インターフェース部１１４は、デコーダ１１３から出力されたデジタル形式の映像信号を本線出力するとともに、デジタル形式の映像信号をアナログ形式にＤ／Ａ変換して汎用の映像モニタに出力する。このように、この種の受信装置では、映像信号を本線出力すること以外に、映像信号をモニタするために映像モニタにも出力することが通常行われている。
【０００９】
Ｄ／Ａ変換部１１５は、デコーダ１１３から出力されたコンスタレーション信号をアナログ形式にＤ／Ａ変換してオシロスコープなどの専用の測定器に出力する。なお、コンスタレーション信号をオシロスコープで表示する技術は、特許文献１に開示されている。
【特許文献１】特開２００５−５１７５５号公報
【発明の開示】
【発明が解決しようとする課題】
【００１０】
上述したように従来の受信装置においては、受信状態信号を映像信号とは別個独立にアナログ形式の信号に変換して出力しており、また、受信状態信号は、復調部１１２の内部で処理されたデータをアナログ形式の信号に変換したものである。
【００１１】
従って、受信状態信号を観測するには、オシロスコープなどの専用の測定器を用いることが必要である。そのため、例えば、映像信号を中継する場合には、伝送状態の把握等をする必要があるが、その中継地点に専用の測定器が用意されていなければ、受信状態信号を観測することができない。
【００１２】
そこで、本発明の目的は、専用の測定器を用意しなくても、受信状態信号を観測することができる受信装置を提供することにある。
【課題を解決するための手段】
【００１３】
上記目的を達成するために本発明の受信装置は、
受信した映像信号の受信状態を表し、互いに種類が異なる複数の受信状態信号を生成する受信状態信号生成手段と、
前記複数の受信状態信号のそれぞれを映像モニタにて表示可能な形式に変換する形式変換手段と、
前記形式変換手段にて変換された受信状態信号を前記映像信号に多重して前記映像モニタに出力するインターフェース手段とを有することを特徴とするものである。
【発明の効果】
【００１４】
上述したように本発明は、受信状態信号を映像モニタにて表示可能な信号形式に変換する構成である。通常、受信装置を使用する環境や受信装置へ映像信号を中継する環境では、映像信号をモニタするために汎用の映像モニタが設置されているため、その映像モニタを使用することにより、専用の測定器を用意しなくても受信状態信号を観測することができるという効果が得られる。
【００１５】
また、受信状態信号を映像信号に多重する構成であるため、汎用の映像モニタにて映像信号のモニタと受信状態信号の観測とを同時に行うことができるという効果も得られる。
【００１６】
また、複数の受信状態信号を映像信号に多重する構成であるため、汎用の映像モニタにて受信状態を様々な角度から観測することができるという効果も得られる。
【発明を実施するための最良の形態】
【００１７】
以下に、本発明を実施するための最良の形態について図面を参照して説明する。
【００１８】
（第１の実施形態）
本実施形態の受信装置の回路構成について、図１を参照して説明する。
【００１９】
図１を参照すると、本実施形態の受信装置は、受信部１、復調部２、デコーダ３、制御部４、形式変換部５、およびインターフェース部６から構成されている。
【００２０】
受信部１は、無線信号であるＲＦ信号を受信し、受信したＲＦ信号をＩＦ信号に変換して復調部２に出力する。
【００２１】
また、受信部１は、選択中のチャンネルとこれに隣接する隣接チャンネルの受信レベルを図２に示すようにグラフ化して映像モニタに表示するために、選択中のチャンネルと隣接チャンネルの受信レベルをそれぞれ測定し、それぞれの測定値を表す受信レベル信号を生成して受信状態信号として形式変換部５に出力する。なお、図２においては、中央が選択中のチャンネルの受信レベル、その両側が隣接チャネルの受信レベルを表している。隣接チャンネルの受信レベルを測定する方法としては、例えば、選択中のチャンネルの信号のみを通過させるフィルタを用意し、そのフィルタを通過せずに残った信号を隣接チャンネルの信号とみなしてその受信レベルを測定する方法がある。
【００２２】
復調部２は、受信部１から出力されたＩＦ信号をベースバンド信号に変換し、変換したベースバンド信号に対して復調処理および復号処理を行うことでＴＳ信号を生成してデコーダ３に出力する。
【００２３】
また、復調部２は、マルチパス環境での時間方向の相関電力分布である遅延プロファイルを図３に示すように映像モニタに表示するために、直接到来した信号や建物等で反射して到来した信号から得られた各ベースバンド信号について既知符号系列との相関電力値を測定し、各ベースバンド信号の到来時間と相関電力値の測定値とを表す遅延プロファイル信号を生成して受信状態信号として形式変換部５に出力する。
【００２４】
さらに、復調部２は、ＸＹ座標上にマッピングされる複数個のコンスタレーション（点）を図４に示すように映像モニタに表示するために、ＩデータおよびＱデータからなるコンスタレーション信号を生成して受信状態信号として形式変換部５に出力する。
【００２５】
その他、復調部２は、受信部１にて測定された受信レベルと受信限界となる受信レベルとの差分を表すマージン、ＴＳ信号のビットレート、ＢＥＲ（Bit Error Rate）、およびＭＥＲ（Modulation Error Rate）等を測定し、その測定値を制御部４に出力する。
【００２６】
デコーダ３は、復調部２から出力されたＴＳ信号をデジタル形式の映像信号および音声信号に変換してインターフェース部６に出力する。なお、本発明は、映像信号の処理に特徴があり、音声信号の処理は任意の公知技術を用いて行うことができるため、以下では、図１の受信装置で行われる音声信号の処理についての説明は省略する。
【００２７】
その他、デコーダ３は、デジタル形式の映像信号のビデオレート等を測定し、その測定値を制御部４に出力する。
【００２８】
制御部４は、受信状態を図５に示すように映像モニタに文字で表示するために、受信状態に関する所定の測定項目の測定値等を表す文字信号を生成して受信状態信号として形式変換部５に出力する。なお、図５において、“６４ＱＡＭ（Quadrature Amplitude Modulation）”は変調方式、“５／６”は符号化率、“７５６ｍｓ”はインターリードの遅延時間、“ＦＵＬＬ  １Ｋ  １／８”は多重方式を示している。また、“μＬＥＶＥＬ”は受信部１にて測定された選択中のチャンネルの受信レベルを示し、“ＴＳ”、“ＢＥＲ”、“ＭＡＲＧＩＮ”、“ＭＥＲ”は復調部２にて測定されたビットレート、マージン、ＢＥＲ、ＭＥＲを示し、“ＶＩＤＥＯ”はデコーダ３にて測定されたビデオレートを示している。また、“ＲＳＥＲＲ”はエラーが発生したことを示している。
【００２９】
このように、受信部１、復調部２、および制御部４は、受信状態信号生成手段の一部を構成している。
【００３０】
形式変換部５は、受信部１、復調部２、および制御部４からそれぞれ出力された受信状態信号を汎用の映像モニタにて表示可能なＮＴＳＣ（National Television Standards Committee）形式（例えば、ＮＴＳＣ映像のコンポジット信号形式）の信号に変換してインターフェース部６に出力する。
【００３１】
インターフェース部６は、デコーダ３から出力されたデジタル形式の映像信号を本線出力するとともに、デジタル形式の映像信号に形式変換部５から出力されたＮＴＳＣ形式の受信状態信号を多重し、その多重信号に含まれる映像信号をデジタル形式からアナログ形式にＤ／Ａ変換した上でその多重信号を汎用の映像モニタに出力する。
【００３２】
ここで、本実施形態に係る形式変換部５およびインターフェース部６の回路構成について、図６を参照して説明する。
【００３３】
図６を参照すると、形式変換部５は、記憶部５１、表示データ設定部５２、読み出しタイミング発生部５３、およびＮＴＳＣ変換部５４から構成されている。また、インターフェース部６は、同期検出部６１、多重部６２、およびＤ／Ａ変換部６３から構成されている。また、記憶部５１は、コンスタレーション信号、遅延プロファイル信号、受信レベル信号、および文字信号の計４種の受信状態信号にそれぞれ対応して設けられたメモリ５１１〜５１４とメモリ制御部５１５〜５１８から構成されている。
【００３４】
メモリ５１１〜５１４は、映像モニタの１画面分のデータを記憶するページメモリやフレームメモリ等であり、それぞれ対応する受信状態信号を記憶する。
【００３５】
表示データ設定部５２は、コンスタレーション信号、遅延プロファイル信号、受信レベル信号、および文字信号の計４種の受信状態信号ごとに、その受信状態信号を映像モニタに表示する際の画面上の表示位置や値等のデータが設定されている。
【００３６】
同期検出部６１は、デコーダ３から出力された映像信号を映像モニタの画面において所定の順序で表示する際に、現時点の画面上の映像信号の表示位置を表す位置情報を検出する。
【００３７】
読み出しタイミング発生部５３は、同期検出部６１にて検出された位置情報に基づいて、計４種の受信状態信号ごとに、その受信状態信号をメモリから読み出すタイミングを表すタイミング信号を発生する。このタイミング信号は、メモリ制御部５１５〜５１８のうち対応するメモリ制御部に個別に出力される他、ＮＴＳＣ変換部５４および多重部６２にも出力される。
【００３８】
メモリ制御部５１５〜５１８は、表示データ設定部５２に設定されたデータに基づき、受信状態信号を対応するメモリへ書き込む。具体的には、メモリ制御部５１５〜５１８は、受信状態信号を映像モニタに表示する際の画面上の各表示位置における値を、その表示位置に対応するメモリ上のアドレスに書き込む。
【００３９】
また、メモリ制御部５１５〜５１８は、読み出しタイミング発生部５３にてタイミング信号が発生したタイミングで、対応するメモリに記憶されている受信状態信号を画面に表示する順序で読み出し、ＮＴＳＣ変換部５４に出力する。
【００４０】
ＮＴＳＣ変換部５４は、読み出しタイミング発生部５３にてタイミング信号が発生したタイミングで、メモリ５１１〜５１４のいずれかから読み出された受信状態信号を映像モニタにて表示可能なＮＴＳＣ形式の信号に変換し、インターフェース部６に出力する。
【００４１】
多重部６２は、読み出しタイミング発生部５３にてタイミング信号が発生したタイミングで、デコーダ３から出力されたデジタル形式の映像信号とＮＴＳＣ変換部５４から出力されたＮＴＳＣ形式の受信状態信号とを多重し、その多重信号をＤ／Ａ変換部６３に出力する。
【００４２】
なお、多重部６２における多重形式は、外部入力される多重設定信号によって設定される。例えば、多重部６２は、図７に示すように映像信号を背景とし、その前面に受信状態信号が配置されるように多重処理を行うが、図８に示すように受信状態信号を半透明化して多重処理を行うこともできる。半透明化は、受信状態信号の色を、元の受信状態信号の色とその背景部分の映像信号の色とをブレンドした色で表示する等の公知の技術を用いて実現することができる。また、多重部６２は、図９に示すように受信状態信号のみが表示されるように多重処理を行うこともできる。
【００４３】
Ｄ／Ａ変換部６３は、多重部６２から出力された多重信号に含まれるデジタル形式の映像信号をアナログ形式にＤ／Ａ変換した上で、その多重信号を映像モニタに出力する。
【００４４】
以下、本実施形態の受信装置の動作について説明する。
【００４５】
まず、受信部１では、受信したＲＦ信号をＩＦ信号に変換して復調部２に出力する。また、受信部１では、選択中のチャンネルと隣接チャンネルの受信レベルを測定し、それぞれの測定値を表す受信レベル信号を受信状態信号として形式変換部５に出力する。さらに、受信部１では、選択中のチャンネルの受信レベルの測定値を制御部４に出力する。
【００４６】
復調部２では、受信部１から出力されたＩＦ信号をベースバンド信号に変換し、復調処理を行った後、コンスタレーションの判定処理、誤り訂正復号処理等の復号処理を行うことでＴＳ信号を生成してデコーダ３に出力する。また、復調部２では、コンスタレーションの判定処理結果に基づきコンスタレーション信号を生成して受信状態信号として形式変換部５に出力する。さらに、復調部２では、各ベースバンド信号について既知符号系列との相関電力値を測定し、その測定値に基づき遅延プロファイル信号を生成して受信状態信号として形式変換部５に出力する。加えて、復調部２は、上述したマージン、ビットレート、ＢＥＲ、およびＭＥＲ等を測定し、その測定値を制御部４に出力する。
【００４７】
デコーダ３では、復調部２から出力されたＴＳ信号をデジタル形式の映像信号に変換してインターフェース部６に出力する。また、デコーダ３では、ビデオレート等を測定し、その測定値を制御部４に出力する。
【００４８】
制御部４では、受信部１、復調部２、およびデコーダ３から出力された各測定項目の測定値等に基づき文字信号を生成して、受信状態信号として形式変換部５に出力する。
【００４９】
形式変換部５では、コンスタレーション信号、遅延プロファイル信号、受信レベル信号、および文字信号の各受信状態信号を図７または図８に示すように映像モニタに表示するために、メモリ制御部５１５〜５１８は、まず、表示データ設定部５２に設定されたデータに基づき、受信状態信号を表示する際の各表示位置における値を、その表示位置に対応するメモリ５１１〜５１４上のアドレスに書き込む。また、メモリ制御部５１５〜５１８は、読み出しタイミング発生部５３にてタイミング信号が発生したタイミングで、メモリ５１１〜５１４に記憶されている受信状態信号を画面上の表示位置に対応した順序で読み出す。また、ＮＴＳＣ変換部５４は、メモリ５１１〜５１４から順次読み出された受信状態信号を、ＮＴＳＣ形式の信号に変換してインターフェース部６に出力する。
【００５０】
その後、インターフェース部６では、デコーダ３から出力されたデジタル形式の映像信号が本線出力される。また、多重部６２は、その映像信号に形式変換部５から出力された受信状態信号を多重し、Ｄ／Ａ変換部６３は、その多重信号に含まれる映像信号をアナログ形式にＤ／Ａ変換した上でその多重信号を汎用の映像モニタに出力する。
【００５１】
ここで、形式変換部５およびインターフェース部６の動作について、さらに詳細に説明する。以下では、受信状態信号のうちコンスタレーション信号を処理する場合を例に挙げて説明するが、その他の受信状態信号についても同様の処理にて映像信号に多重して映像モニタに出力することができる。
【００５２】
まず、メモリ５１１への書き込み動作について説明する。
【００５３】
復調部２から出力されるコンスタレーション信号は、ＩデータとＱデータから構成されている。例えば、図７および図８では、ＩデータおよびＱデータ共に８つの値を取り、ＩデータおよびＱデータの値をそれぞれＸ軸方向およびＹ軸方向の座標位置に見立てることにより、６４個のコンスタレーションを映像モニタに表示している。この場合、表示データ設定部５２には、コンスタレーション信号の表示領域（図７および図８では、左側の正方形の部分）の各表示位置における値としてＩデータおよびＱデータの値に応じて決定される値（例えば、表示色を表す値）等が設定される。また、コンスタレーション信号の表示領域をメモリ５１１上に構成する。
【００５４】
従って、メモリ制御部５１５は、メモリ５１１上に構成したコンスタレーション信号の表示領域において、ＩデータおよびＱデータの値をそれぞれＸ軸方向およびＹ軸方向の座標位置を表すアドレスとし、そのアドレスに従って表示データ設定部５２に設定された値をメモリ５１１上に書き込む。例えば、メモリ制御部５１５は、メモリ５１１上に構成したコンスタレーション信号の表示領域において、コンスタレーションの表示位置には“白”を表す値を、それ以外の部分には“白”以外の色を表す値を書き込む。
【００５５】
次に、メモリ５１１からの読み出し動作について説明する。
【００５６】
映像信号を映像モニタに表示する場合、画面最上部の左端から右方向に向けて１ライン分の表示を行い、右端まで表示したら左端に戻り、その下のラインを次に表示するという順序で画面最下部の右端までの表示を行うことにより１画面を表示する。
【００５７】
従って、メモリ制御部５１５は、同期検出部６１にて検出された画面の位置情報を基にして読み出しタイミング発生部５３にて発生したタイミング信号を用いて、映像信号の表示位置がコンスタレーションの表示領域まで来たことを検知すると、メモリ５１１に記憶されたコンスタレーション信号を、画面に表示する順序で読み出す。また、多重部６２も、タイミング発生部５３にて発生したタイミング信号を用いて、映像信号の表示位置がコンスタレーション信号を多重する多重位置まで来たことを検知して多重処理を行う。
【００５８】
上述したように本実施形態においては、受信状態信号を映像モニタにて表示可能なＮＴＳＣ信号形式に変換する構成であるため、専用の測定器を用意しなくても、汎用の映像モニタにて受信状態信号を観測することができる。
【００５９】
また、受信状態信号を映像信号に多重する構成であるため、汎用の映像モニタにて映像信号のモニタと受信状態信号の観測とを同時に行うこともできる。
【００６０】
また、複数の受信状態信号を多重する構成であるため、汎用の映像モニタにて受信状態を様々な角度から観測することもできる。
【００６１】
（第２の実施形態）
第１の実施形態の受信装置は、映像信号に受信状態信号を多重した多重信号の出力先となる汎用の映像モニタがアナログ入力のインターフェースを備えることを想定し、多重信号をアナログ信号として出力していた。
【００６２】
これに対して、本実施形態の受信装置は、出力先となる汎用の映像モニタがデジタル入力のインターフェースを備えることを想定し、多重信号をデジタル信号のまま出力するものである。
【００６３】
なお、本実施形態の受信装置は、図１に示した第１の実施形態と比較して、形式変換部５およびインターフェース部６を形式変換部７およびインターフェース部８に変更した点のみが異なり、それ以外は同様の構成である。そのため、以下では、形式変換部７およびインターフェース部８の構成についてのみを、図１０を参照して説明する。
【００６４】
図１０を参照すると、形式変換部７は、図６に示した形式変換部５と比較して、ＮＴＳＣ変換部５４の代わりに、デジタル映像変換部７１を設けた点が異なる。また、インターフェース部８は、図６に示したインターフェース部６と比較して、Ｄ／Ａ変換部６３を削除した点が異なる。なお、上記以外の構成は、第１の実施形態と同様であるため、同一の符号を付し、説明を省略する。
【００６５】
本実施形態においては、デジタル映像変換部７１は、メモリ５１１〜５１４のいずれかから読み出された受信状態信号を映像モニタにて表示可能なデジタル形式の信号に変換してインターフェース部６に出力し、多重部６２は、デコーダ３から出力されたデジタル形式の映像信号とデジタル映像変換部７１から出力されたデジタル形式の受信状態信号とを多重し、その多重信号をデジタル形式のままで汎用の映像モニタに出力する。従って、デジタル入力のインターフェースを備える映像モニタにおいても、受信状態信号を観測することが可能となる。
【００６６】
なお、第１および第２の実施形態においては、コンスタレーション信号、遅延プロファイル信号、受信レベル信号、および文字信号の計４種の受信状態信号を例に挙げて説明したが、本発明はこれに限定されず、その他の受信状態信号も当然に適用可能である。
【００６７】
また、第１および第２の実施形態においては、コンスタレーション信号、遅延プロファイル信号、受信レベル信号、および文字信号の計４種の受信状態信号を全て表示する場合を例に挙げて説明したが、本発明はこれに限定されず、計４種の受信状態信号のうち任意に選択された受信状態信号のみを表示することもできる。このような構成とする場合、読み出しタイミング発生部５３が、選択された受信状態信号をメモリから読み出すタイミングになった場合にのみ、タイミング信号を発生すれば良い。
【図面の簡単な説明】
【００６８】
【図１】本発明の第１の実施形態の受信装置の回路構成を示すブロック図である。
【図２】受信レベル信号を映像モニタに表示する際の表示内容の一例を示す図である。
【図３】遅延プロファイル信号を映像モニタに表示する際の表示内容の一例を示す図である。
【図４】コンスタレーション信号を映像モニタに表示する際の表示内容の一例を示す図である。
【図５】文字信号を映像モニタに表示する際の表示内容の一例を示す図である。
【図６】本発明の第１の実施形態に係る形式変換部およびインターフェース部の回路構成の一例を示すブロック図である。
【図７】映像信号に受信状態信号を多重した多重信号を映像モニタに表示する際の表示内容の一例を示す図である。
【図８】映像信号に受信状態信号を多重した多重信号を映像モニタに表示する際の表示内容の他の例を示す図である。
【図９】映像信号に受信状態信号を多重した多重信号を映像モニタに表示する際の表示内容のさらに他の例を示す図である。
【図１０】本発明の第２の実施形態に係る形式変換部およびインターフェース部の回路構成の一例を示すブロック図である。
【図１１】従来の受信装置の回路構成の一例を示すブロック図である。
【符号の説明】
【００６９】
１    受信部
２    復調部
３    デコーダ
４    制御部
５    形式変換部
６    インターフェース部
５１    記憶部
５２    表示データ設定部
５３    読み出しタイミング発生部
５４    ＮＴＳＣ変換部
６１    同期検出部
６２    多重部
６３    Ｄ／Ａ変換部
５１１〜５１４    メモリ
５１５〜５１８    メモリ制御部
【図１】
2007110393.tif 000003
【図２】
2007110393.tif 000004
【図３】
2007110393.tif 000005
【図４】
2007110393.tif 000006
【図５】
2007110393.tif 000007
【図６】
2007110393.tif 000008
【図１０】
2007110393.tif 000009
【図１１】
2007110393.tif 000010
【図７】
2007110393.tif 000011
【図８】
2007110393.tif 000012
【図９】
2007110393.tif 000013